(57)【要約】      （修正有）【課題】片手で本体部を保持しながらアーム部の開閉操作が可能であり、かつ比較的に小型軽量化が可能な優れた開閉式ハンガーの提供。【解決手段】スプリング１３の力により、ピン２０が最も支軸１８に近づいた時、ピン２０は溝２１の内部のもっとも外側に形成された係止突起２２を越えて溝２１の最も外側に係止される。このためアーム５、６は、ピン２０が最も支軸１８に近づいた時、スプリング１３からの付勢力が弱くなるが、この係止突起２２により確実に位置決めされ、重い洋服が掛けられた場合でも、アーム５、６が不用意に折れるような事態も発生しない。すなわち、係止突起２２による位置決め効果により、安定して洋服を吊るせる。スライドレバーを押し込み始める時は、ピン２０が溝２１の内部で係止突起２２を越えて支軸１８から離れる方向に操作され、係止突起２２が抜け止め部材としても機能する。【選択図】  図２
2006247310.tif 000002
【特許請求の範囲】
【請求項１】
上端にフックが設けられたハンガー本体と、該ハンガー本体に下端側に設けられた一対の支軸のまわりそれぞれに回動可能に支持され且つ所要のガイド部を有する一対のアーム部と、前記ハンガー本体に対して使用者の操作に従って摺動するように取り付けられる摺動部材と、該摺動部材に固定され該ハンガー本体に対して前記ガイド部に係合しながら移動する係合部材とを有することを特徴とする開閉式ハンガー。
【請求項２】
前記摺動部材は弾性部材により前記アーム部を開状態とするように常時付勢され、前記弾性部材の弾性力に抗して前記摺動部材を操作した際に前記アーム部が閉状態とされることを特徴とする請求項１記載の開閉式ハンガー。
【請求項３】
前記ガイド部は前記アーム部に形成された螺旋状に延長される溝からなり、前記溝の内部に前記係合部材が係合することを特徴とする請求項１記載の開閉式ハンガー。
【請求項４】
前記溝の前記支軸側の端部には、前記係合部材を係止する係止部が形成されていることを特徴とする請求項１記載の開閉式ハンガー。
【請求項５】
前記摺動部材は、一対の摺動可能な可動部材からなり、その摺動方向はほぼ水平方向とされることを特徴とする請求項１記載の開閉式ハンガー。
【請求項６】
前記一対のアーム部の先端側には、前記アーム部の閉状態を維持するための保持部材が設けられていることを特徴とする請求項１記載の開閉式ハンガー。
【請求項７】
ハンガー本体と、該ハンガー本体に設けられた一対の支軸のまわりそれぞれに回動可能に支持され且つ所要のガイド部を有する一対のアーム部と、使用者の操作に従って開閉操作される一対の可動部材と、前記可動部材の端部に配設され前記ガイド部に係合しながら移動可能とされる一対の係合部材とを有することを特徴とする開閉式ハンガー。
【請求項８】
前記可動部材の上端にフックが設けられることを特徴とする請求項７記載の開閉式ハンガー。
【請求項９】
前記可動部材は弾性部材により前記アーム部を開状態とするように常時付勢され、前記弾性部材の弾性力に抗して前記可動部材を操作した際に前記アーム部が閉状態とされることを特徴とする請求項１記載の開閉式ハンガー。
【発明の詳細な説明】
【技術分野】
【０００１】
本発明は、肩掛け部を構成するアーム部に開閉機構を設けた、衣服を吊るすための開閉式ハンガーに関する。
【背景技術】
【０００２】
従来より、肩掛け部を構成するアーム部が開いたりと閉じたりする機構の開閉式ハンガーがいくつか知られている。従来の開閉式ハンガーの一例としては、例えば、開閉自在に固定されるハンガーの開閉操作を片手で操作するレバーの先端に連結した紐部材によって行うようにした構造のもの（例えば、特許文献１参照。）や、フックの軸部分を延長し、傘のごとき機構により支えを介してアーム部が開閉する構造としたもの（例えば、特許文献２参照。）などが知られている。さらに、略三角形の本体部を有し、その本体部の上側に吊り下げフックを形成し、本体部の側面側より一対のアームを形成したハンガーも知られており（例えば、特許文献３参照。）、吊り下げフックを本体側に押し込んでアームが開状態から閉状態に変化する。
【０００３】
【特許文献１】特開２００１−２８６３８２号公報
【特許文献２】特開２００２−３０６３０９号公報
【特許文献３】特開２００２−５１８９９号公報
【発明の開示】
【発明が解決しようとする課題】
【０００４】
ところが、上述のような従来の開閉式ハンガーのうち、特許文献１に記載される開閉式ハンガーでは、アーム部の開閉を行うための機構部が比較的に大きなサイズとなり、また、部品点数も増加することから、ハンガーの組み立てが容易ではなく、その製造コストも高くなってしまう。一方、特許文献２に記載の開閉式ハンガーでは、フックに連続する柱部分を枠に対して相対にずらすことで腕（アーム）部分の開閉操作が行われるが、通常の雨傘のように枠を手で保持すると同時に柱部分に設けられた爪部を操作する必要があり、したがって片手で開閉操作することはできない。一般に、衣服をハンガーに吊るす際には、一方の手が衣服を持つ必要があるため、ハンガーを操作できる手は他方の手すなわち片手に限られ、このため開閉機構もハンガーを保持しながら、そのハンガーを保持している片手で操作できることが望まれる。同様に、特許文献３に記載されるハンガーも、アーム部を折りたたむ際に吊り下げフックを本体側に押し込んで一対にアームが閉じるように操作されるが、やはり本体部を保持しながらフックを押し下げる操作は片手では困難であり、両手での操作が必要となっている。
【０００５】
そこで、本発明は上述の技術的な課題に鑑み、片手で本体部を保持しながらアーム部の開閉操作が可能であり、かつ比較的に小型軽量化が可能な優れた開閉式ハンガーを提供することを目的とする。
【課題を解決するための手段】
【０００６】
上述の課題を解決する本発明の開閉式ハンガーは、上端にフックが設けられたハンガー本体と、該ハンガー本体に下端側に設けられた一対の支軸のまわりそれぞれに回動可能に支持され且つ所要のガイド部を有する一対のアーム部と、前記ハンガー本体に対して使用者の操作に従って摺動するように取り付けられる摺動部材と、該摺動部材に固定され該ハンガー本体に対して前記ガイド部に係合しながら移動する係合部材とを有することを特徴とする。
【０００７】
本発明の開閉式ハンガーによれば、ハンガー本体に一対のアーム部が一対の支軸のまわりそれぞれに回動可能に取り付けられることから、アーム部の開閉操作が可能である。このアーム部の開閉操作は、当該アーム部の一部に形成されたガイド部に、摺動部材に固定される係合部材が係合することで行われるものであり、摺動部材の摺動動作に応じてアーム部の開閉操作が行われることになる。
【０００８】
本発明の好適な１つの実施形態によれば、前記摺動部材は弾性部材により前記アーム部を開状態とするように常時付勢され、前記弾性部材の弾性力に抗して前記摺動部材を操作した際に前記アーム部が閉状態とされるように構成され、例えば開閉式ハンガーのアーム部を閉じる場合だけ、前記摺動部材を押圧することで該アーム部を閉じるようにし、前記摺動部材に対する押圧を開放することで前記アーム部を開状態とすることもできる。また、前記摺動部材は、一対の摺動可能な可動部材からなり、その摺動方向はほぼ水平方向とすることができ、一般にハンガー本体に把持した場合には、親指と人差指で保持することも多く、自然に本発明に係るハンガーを操作できることになる。
【０００９】
本発明の他の開閉式ハンガーにおいては、ハンガー本体と、該ハンガー本体に設けられた一対の支軸のまわりそれぞれに回動可能に支持され且つ所要のガイド部を有する一対のアーム部と、使用者の操作に従って開閉操作される一対の可動部材と、前記可動部材の端部に配設され前記ガイド部に係合しながら移動可能とされる一対の係合部材とを有することを特徴とする。
【００１０】
この様な開閉式ハンガーを用いた場合、ハンガー本体に一対のアーム部が一対の支軸のまわりそれぞれに回動可能に取り付けられることから、アーム部の開閉操作が可能であり、可動部材の開閉操作に応じて当該アーム部の一部に形成されたガイド部に係合する係合部材が操作され、この係合部材の作動に応じてアーム部の開閉操作が行われることになる。
【発明の効果】
【００１１】
本願の１つの発明によれば、ハンガー本体に設けられた摺動部材の摺動動作に応じてアーム部の開閉操作が行われることから、片手で摺動部材を操作した場合でも本体部を保持しながらアーム部の開閉操作が可能であり、開閉操作が行われるハンガーにおいて最も操作し易い構造となる。また、アーム部の開閉操作が、摺動部材とそれに連動する係合部材を用いることから、比較的に装置全体の小型軽量化が実現可能となり、製造コストも低く抑えることができる。
【００１２】
本願の他の発明によれば、可動部材の開閉操作に応じて係合部材が操作され、この係合部材の作動に応じてアーム部の開閉操作が行われ、片手で可動部材を操作した場合でも本体部を保持しながらアーム部の開閉操作が可能であって、開閉操作が行われるハンガーにおいて十分に操作し易い構造となる。また、アーム部の開閉操作が、可動部材とそれに連動する係合部材を用いることから、比較的に装置全体の小型軽量化が実現可能となり、製造コストも低く抑えることができる。
【発明を実施するための最良の形態】
【００１３】
本発明の好適な実施形態を図面を参照しながら説明する。本実施形態の開閉式ハンガーは、図1に示すように、略平板状の一対のハンガー本体部２、３を重ねた構造のハンガー本体を有し、その上端部に形成された嵌合穴に対し軸回りに回転可能に嵌められたフック４を有している。このフック４が吊り下げられた洋服等の衣類の首や襟部分より突出し、箪笥やクローゼットなどの水平に延長される棒部材などに架けられて吊り下げられる部材である。ハンガー本体部２、３は例えばＡＢＳなどの合成樹脂からなり、フック４も例えばポリプロピレンなどの樹脂材料から形成される。
【００１４】
一対のハンガー本体部２、３の両側面部分には、当該ハンガーの側面側から中心軸側に向かって曲率を以ってくぼむ形状で切欠き部９が形成されている。そして、これら切欠き部９には、摺動部材であるスライドレバー７、８が臨んでおり、当該ハンガーを親指と人差し指で挟んだ時にスライドレバー７、８に親指と人差し指（あるいは中指）が係るように構成されている。後述するように、握るようにスライドレバー７、８を側面側から中心軸側に向かって押し込んだ時に、このスライドレバー７、８の摺動動作と連動してアーム５、６が閉じるように動作する。ハンガー本体部２、３の側面は略扇状の肩部を有して底面１０に連続する形状となっているが、スライドレバー７、８の端部もこの扇状の端部の一部をなす形状とされ、各スライドレバー７、８の下側に開閉操作されるアーム５、６が位置している。
【００１５】
一対のアーム５、６は洋服等の衣類の肩の部分を内側から保持するための部材であり、人間の肩の形状に合わせてやや開いた八字状の開状態と、一対のアーム５、６が並んで略垂直状態に延長される閉状態との間で、一対のアーム５、６の位置が変化する。なお、本実施形態においては、一対のアーム５、６は基端側から先端側に向かってややテーパー形状の平板状の樹脂材により構成されているが、一部に紐掛け用の切り込み部や穴を設けたり、洋服等の衣類の肩の部分を一層保持し易いようにやや上面側を広げた形状とすることも可能である。また、アーム５、６の一部に、後述の実施形態のような収納片などを形成して閉状態を維持するように構成しても良い。
【００１６】
次に、図２と図３を参照しながら、本実施形態の開閉式ハンガーの内部の構造について説明する。前述のスライドレバー７、８は、ハンガー本体部２、３の両側面部分に形成された切欠き部９から突出するように設けられており、スライドレバー７、８と当接するハンガー本体部２、３の内面には、水平方向に延長される上下左右で二対の水平案内溝１１、１２が形成されている。これら水平案内溝１１、１２はハンガー本体部２、３の内側に位置するスライドレバー７、８の表面に形成された図示しない突部にそれぞれ係合し、スライドレバー７、８は使用者の操作に従ってこれら水平案内溝１１、１２に沿って水平方向に操作される。一対のスライドレバー７、８は、それぞれ弾性部材であるスプリング１３によって本体部中央部から外側に向かって常時付勢されており、スライドレバー７、８を押す場合にはスプリング１３による付勢力に抗してスライドレバー７、８を押し込むことになる。また、スライドレバー７、８を押し込む力を緩めた場合には、ハンガー本体部２、３の両側面の切欠き部９からスライドレバー７、８が弾性部材であるスプリング１３によって突出するが、スライドレバー７、８が抜け止め部１４に係止されてハンガー本体部２、３の側面部程度に突出したところでとどまる。
【００１７】
スライドレバー７、８の下端部には、係合部材である円筒形状のピン２０がハンガー本体部２、３の主面に垂直な方向を軸とするように立設されており、このピン２０はアーム５、６の螺旋状に開口した溝２１に係合する。アーム５、６は、上側の角部で支軸１８のまわりそれぞれに回動可能に支持されており、溝２１がやや直線に近い螺旋状な形状を有することから、スライドレバー７、８を押し込むことで螺旋状の溝２１に沿ってピン２０が水平方向の内側に向かって移動する。その結果、支軸１８のまわりで各アーム５、６が回動されることになる。
【００１８】
図３はハンガー本体部２、３に対してスライドレバー７、８が十分に押し込まれた状態の図であり、螺旋状の溝２１に沿ってスライドレバー７、８の下端部に形成されたピン２０が水平方向の内側に向かって移動することで、アーム５、６も回転動作され、その結果、アーム５、６はその長手方向が垂直方向に延長して並ぶように保持される。
【００１９】
この図３の状態では、弾性部材であるスプリング１３が最も圧縮された状態とされ、当該スプリング１３からスライドレバー７、８に与えられる付勢力も最も大きな値となる。ここからスライドレバー７、８を押し込む力を緩めた場合には、スプリング１３の付勢力によりスライドレバー７、８は、水平方向で外側に押し出されていき、このスライドレバー７、８の移動に応じてアーム５、６は支軸１８のまわりで先ほどのスライドレバー７、８を押し込むときとは逆の方向に回動されることになる。
【００２０】
スプリング１３の力によって、ピン２０が最も支軸１８に近づいた時、ピン２０は溝２１の内部のもっとも外側に形成された係止突起２２を越えて溝２１の最も外側に係止される。このためアーム５、６は、ピン２０が最も支軸１８に近づいた時、スプリング１３からの付勢力が弱くなっているが、この係止突起２２によって確実に位置決めされることになり、重いコートやスーツなどの洋服が掛けられた場合でも、アーム５、６が不用意に折れてしまうような事態も発生しない。すなわち、係止突起２２による位置決め効果により、安定して洋服を吊るすことが可能である。また、スライドレバー７、８を押し込み始める時は、ピン２０が溝２１の内部で係止突起２２を越えて支軸１８から離れる方向に操作される必要があり、係止突起２２が抜け止め部材としても機能することが分かる。
【００２１】
図４乃至図６は本実施形態の開閉式ハンガーの操作方法を図示したものであり、図４はフックを使用者が手で持ったところを示す斜視図であり、図５はスライドレバーを使用者が手で押し込み始めたところを示す斜視図であり、図６はスライドレバーを使用者が手で十分に押し込んだところを示す斜視図である。
【００２２】
これら図４乃至図６に示すように、使用者は片手で本実施形態の開閉式ハンガーのスライドレバー７、８を操作して、アーム５、６を開閉操作させることができ、開閉操作が行われるハンガーにおいて最も操作し易い構造となる。また、アーム５、６の開閉操作が、のスライドレバー７、８とそれに連動するピン２０等を用いることから、比較的に装置全体の小型軽量化が実現可能となり、製造コストも低く抑えることができる。
【００２３】
次に図７乃至図１１を参照して、本発明の他の実施形態にかかる開閉式ハンガーについて説明する。この図７乃至図１１は、先の実施形態に比べて、スライドレバー３７、３８のサイズを操作しやすいように大きくし、フック３４を上端に回動自在に形成したハンガー本体部３２、３３の肩部分から張り出すように取り付けられている。アーム３５、３６は前述の実施形態の開閉式ハンガーのアーム５、６と同様に、支軸を中心に回動可能に取り付けられているが、アーム３５、３６の先端側から基端近くまで、例えば樹脂製からなる幅広の肩当部４３が取り付けられており、洋服を傷めずに保持する機能を向上させた構造を有している。
【００２４】
このような肩当部４３の裏面側には、それぞれアーム３５、３６を閉じた時に、その閉じた状態でアーム３５、３６の位置をロックするための収納片４１、４２がそれぞれアーム３５、３６に設けられている。これらアーム３５、３６に設けられた収納片４１、４２は、例えば肩当部４３と同じ樹脂材を成型することで形成される片であり、所要の弾性変形を示すものである。これら収納片４１、４２を用い、収納片４２のＵ字状の穴を収納片４１のフックに引っ掛けることで、内蔵するスプリングなどの弾性部材による付勢力から離れようとするアーム３５、３６を引き止めることができ、当該開閉式ハンガーを閉状態に保持しコンパクトにして持ち運びや収納に便利なものとすることができる。
【００２５】
なお、上述の実施形態では、左右のスプリングを独立したものとして記載したが、１つのスプリングや、板ばね、樹脂の弾性を利用した弾性部材など、その他の弾性部材を用いることもできる。また、収納片の一部を変形したり、或いは別個の部材を用いて、紐掛け用のフックや、ネクタイ掛け、その他の支持部材を設けるようにしても良い。
【００２６】
また、上述の実施形態では、摺動部材としてのスライドレバーに係合部材のピンが設けられ、アームに溝が形成される例を説明したが、スライドレバーに溝が形成され、その溝に沿ってアームに形成されたピンやボスが案内される構成を有していても良い。さらに、上述の実施形態では、右スライドレバーが、同じ側の右アームの開閉を操作し、左スライドレバーが、同じ側の左アームの開閉を操作するように構成されているが、はさみのように逆側のアームを操作する構成としてもよく、２つのスライドレバーの協働により、アームがともに開閉するように動作させることも可能である。
【００２７】
さらに、本発明の開閉式ハンガーは、よりコンパクトな構成とするために、フック部分を折りたたむ機構を有していても良く、アーム部やフック部分の全体または一部が外れるような機構を有していても良い。
【００２８】
次に、本発明の開閉式ハンガーの他の実施形態について、図１２乃至図１４を参照しながら説明する。本実施形態の開閉式ハンガーは、一対の薄い板状部材を合わせた形状のハンガー本体５２と、このハンガー本体５２から開閉自在に支持された一対のアーム５５、５６と、使用者の操作に従って開閉操作される一対の可動部材を構成する、フック６１と一体化された保持部材５８及び保持部材５７と、これら保持部材５７、５８の端部に配設され、アーム５５、５６に設けられたガイド部である溝７０、７２に係合しながら移動可能とされ一対の係合部材として機能するピン６３、６３と有する構造とされる。
【００２９】
一対の薄い板状部材を合わせた形状のハンガー本体５２は略中央部で正面側の板状部材と背面側の板状部材が連絡するような構造とされ、高さ方向の中程の位置には水平方向を長手方向とする長孔５３が左右一対ずつ形成されている。ハンガー本体５２の上側の角部には、軸５４がハンガー本体５２に形成された図示しない孔を挿通するように形成されており、アーム５５、５６は貫通したそれぞれ軸５４を中心に開閉するように回動する。
【００３０】
ハンガー本体５２の上側には、フック６１と一体化された保持部材５８と、この保持部材５８と対をなす保持部材５７が設けられている。保持部材５８と保持部材５７は、軸５９を中心に回動可能とされ、この軸５９に掛けられたバネ６０によって常時開く方向に付勢されている。このバネ６０の弾性力に抗して、使用者が保持部材５８と保持部材５７を握るようにすることで、保持部材５７、５８のそれぞれ先端部５７a、５８aが近づくことになるが、この保持部材５８と保持部材５７の移動は、先端部に形成されたボス６３が水平方向を長手方向とする長孔５３の内部で摺動することで案内され、この動作がアームの開閉動作に連動する。
【００３１】
ハンガー本体５２から開閉自在に支持された一対のアーム５５、５６は、略ハ字形状で開いた状態とされ、両方のアーム５５、５６が垂直方向に揃う形で閉じた状態とされる。一対のアーム５５、５６の中途部分上側には、紐などを掛けることが可能な凹部６４が形成され、各アームの先端内側にはアームが閉じた状態を保持するための係止部材６５、６６が設けられている。これら係止部材６５、６６では、係止部材６６の孔部分に係止部材６５で断面Ｌ字状のフックを引っかける形で一対にアーム５５、５６を係止できる。
【００３２】
このような一対のアーム５５、５６は、ハンガー本体５２の内側に保持されるところの溝部７０、７２を有している。これら溝７０、７２は、アームの回動中心である軸５４を中心とした場合に螺旋状に延長される形状を有しており、このため保持部材５７、５８が軸５４から離れて行く動作をピン６３を介してアーム５５、５６が回転する動作に変換することができる。保持部材５７、５８はそれぞれ先端部５７a、５８aの部分に、先に説明した水平方向を長手方向とする長孔５３に係合するところのボス６３、６３を有しており、保持部材５７、５８を使用者が手でつかむような動作をした時には、保持部材５７、５８の先端部５７a、５８aがその間隔を狭めるように動作するが、ボス６３、６３は長孔５３の長手方向に沿って移動し、その結果、アーム５５、５６を閉じるように操作することができる。
【００３３】
このような構造を有する本実施形態の開閉式ハンガーの動作について概略的に説明すると、軸５９を中心に回動可能とされる保持部材５８と保持部材５７はバネ６０によって常時開く方向に付勢されており、アーム５５、５６は開いた状態とされ、衣類を掛けることができる。使用者が、バネ６０の弾性力に抗して、保持部材５８と保持部材５７を握るようにすることで、保持部材５７、５８のそれぞれ先端部５７a、５８aが近づくことになる。保持部材５８と保持部材５７が近づくように移動する際に、先端部に形成されたボス６３が水平方向を長手方向とする長孔５３の内部で摺動して案内され、同じボス６３が各アーム５５、５６の端部に設けられた部分的な螺旋形状に延在する溝７０、７２に沿って移動して、これらアーム５５、５６を閉じるように動作する。
【００３４】
ここで保持部材５７、５８を握る動作は、使用者が片手で可能な動作であり、しかもハンガー本体５２、アーム５５、５６や保持部材５７、５８などは軽量なポリプロピレンなどの合成樹脂材料を用いることができるため、全体的な重さも軽くすることができる。
【００３５】
アーム５５、５６が閉じられた状態では、係止部材６５、６６を合わせることで、該アーム５５、５６がその閉状態を保持できるようにされる。アーム５５、５６が閉じた状態である方がサイズをコンパクトにすることができ、特に持ち運びに有利である。
【００３６】
次に図１５及び図１６を参照して、先の実施形態に変形例について説明する。この開閉式ハンガーは、一対の薄い板状部材を合わせた形状のハンガー本体８９と、このハンガー本体８９から開閉自在に支持された一対のアーム８７、８８と、使用者の操作に従って開閉操作される一対の可動部材を構成する、バネ８４により常時開状態に付勢される保持部材８２及び保持部材８３と、これら保持部材８２、８３の端部に配設され、アーム８７、８８に設けられたガイド部である溝９２、９１に係合しながら移動可能とされ一対の係合部材として機能するピン８５、８６と有する構造とされる。
【００３７】
保持部材８２はフック８１と一体化され、アーム８７、８８は軸９３に回動自在に支持されている。ピン８５、８６は水平方向を長手方向とする長孔９０に係合しており、保持部材８２及び保持部材８３を使用者が握るように操作した時には、長孔９０に沿ってピン８５、８６が移動し、これらピン８５、８６は更に溝９２、９１に係合することから、アーム８７、８８を閉じるように操作できることになる。
【００３８】
この図１５、図１６に示す開閉式ハンガーは、図１２乃至図１４に示したハンガーと比較して、アームに形成される溝９２、９１の方向が逆方向となっている。すなわち、先の実施形態では、アームを閉じる場合に、溝が開いた方向にピンが移動することとされているが、図１５、図１６に示す開閉式ハンガーでは、アームを閉じる場合に、逆の溝の奥へピンが移動することとなっている。このような構造でも、使用者が片手で十分に操作可能な開閉式ハンガーとして機能し、しかもハンガー本体等は軽量なポリプロピレンなどの合成樹脂材料を用いることができるため、全体的な重さも軽くすることができる。また、アームを閉じた状態では携帯にも便利である。
【００３９】
図１７に他の開閉式ハンガーの変形例を示す。この図１７に示す例では、フックの構造が、通常は一対のリング片１０３、１０４が閉じて輪をなし、バネ１０９の弾性力に抗して保持部材１０１、１０２を握った際に、一対のリング片１０３、１０４の先端側が軸１００を中心に開く構造とされる。一対のリング片１０３、１０４の先端側が開いた場合、ピン１０５、１０６もアーム１０７、１０８に設けられた溝に係合しながら該アーム１０７、１０８を閉じることができる。なお、他の部分の構造は図１２に示す開閉式ハンガーと同様の構造を有している。
【００４０】
このような構造の開閉式ハンガーにおいては、一般的な洗濯バサミのように一対のリング片１０３、１０４を、保持部材１０１、１０２を握った際に、開いて所要の箇所に掛けることができ、風などでハンガー自体が揺れるような場所でもフック脱落せずに安定して掛けることができる。
【図面の簡単な説明】
【００４１】
【図１】本発明の一実施形態にかかる開閉式ハンガーの斜視図である。
【図２】本発明の一実施形態にかかる開閉式ハンガーを一部破断して示す斜視図であり、該開閉式ハンガーのアームが開いたところを示す図である。
【図３】本発明の一実施形態にかかる開閉式ハンガーを一部破断して示す斜視図であり、該開閉式ハンガーのアームが閉じたところを示す図である。
【図４】本発明の一実施形態にかかる開閉式ハンガーのフックを使用者が手で持ったところを示す斜視図である。
【図５】本発明の一実施形態にかかる開閉式ハンガーのスライドレバーを使用者が手で押し込み始めたところを示す斜視図である。
【図６】本発明の一実施形態にかかる開閉式ハンガーのスライドレバーを使用者が手で十分に押し込んだところを示す斜視図である。
【図７】本発明の他の一実施形態にかかる開閉式ハンガーの正面図であり、該開閉式ハンガーのアームが開いたところを示す図である。
【図８】本発明の他の一実施形態にかかる開閉式ハンガーの正面図であり、該開閉式ハンガーのアームが閉じたところを示す図である。
【図９】本発明の他の一実施形態にかかる開閉式ハンガーの上面図であり、該開閉式ハンガーのアームが開いたところを示す図である。
【図１０】本発明の他の一実施形態にかかる開閉式ハンガーの要部正面図である。
【図１１】本発明の他の一実施形態にかかる開閉式ハンガーの要部正面図である。
【図１２】本発明のさらに他の実施形態にかかる開閉式ハンガーの正面図である。
【図１３】図１２に示した開閉式ハンガーの要部模式図であり、該開閉式ハンガーのアームが開いたところを示す図である。
【図１４】図１２に示した開閉式ハンガーの要部模式図であり、該開閉式ハンガーのアームが閉じたところを示す図である。
【図１５】本発明のまた更に他の実施形態にかかる開閉式ハンガーの要部模式図であり、該開閉式ハンガーのアームが開いたところを示す図である。
【図１６】図１５に示した開閉式ハンガーの要部模式図であり、該開閉式ハンガーのアームが閉じたところを示す図である。
【図１７】本発明のさらに他の一実施形態にかかる開閉式ハンガーの要部模式図であり、該開閉式ハンガーのアームが閉じたところを示す図である。
【符号の説明】
【００４２】
２、３、３２、３３    ハンガー本体部
４、３４  フック
５、６、３５、３６  アーム
７、８、３７、３８  スライドレバー
９  切欠き部
１０  底面部
１３  スプリング
１８  支軸
２０  ピン
２１  溝
５２、８９  ハンガー本体
６１、８１  フック
５７、５８、８２、８３  保持部材
５３、９０  長孔
５５、５６、８７、８８  アーム
７０、７２、９１、９２  溝
【図１】
2006247310.tif 000003
【図２】
2006247310.tif 000004
【図３】
2006247310.tif 000005
【図４】
2006247310.tif 000006
【図５】
2006247310.tif 000007
【図６】
2006247310.tif 000008
【図７】
2006247310.tif 000009
【図８】
2006247310.tif 000010
【図９】
2006247310.tif 000011
【図１０】
2006247310.tif 000012
【図１１】
2006247310.tif 000013
【図１２】
2006247310.tif 000014
【図１３】
2006247310.tif 000015
【図１４】
2006247310.tif 000016
【図１５】
2006247310.tif 000017
【図１６】
2006247310.tif 000018
【図１７】
2006247310.tif 000019